(57)【要約】【課題】録画再生装置において、ダビングに必要な光ディスクの枚数を光ディスクの種類毎に把握できるようにする。【解決手段】録画再生装置であるＨＤＤ付きＢＤレコーダは、ユーザによりダビングしようとするテレビジョン番組が選択されたときに、ユーザにより選択されたテレビジョン番組のダビングに必要な光ディスクの枚数を示した必要枚数画面５０を表示する。このとき、ＨＤＤ付きＢＤレコーダは、必要枚数画面５０として、ダビングに必要な光ディスクの枚数を、光ディスクの種類毎及びダビングする際の画質毎に示した画面を表示する。そして、ＨＤＤ付きＢＤレコーダは、必要枚数画面５０の表示後、ユーザによりダビングを実行するための操作（画質の選択及び光ディスクの挿入）がなされると、ユーザにより選択されたテレビジョン番組のダビングを実行する。【選択図】図２
2012003821.tif 000002
【特許請求の範囲】
【請求項１】
テレビジョン放送局から放送されるテレビジョン番組を装置本体に内蔵の内部記録媒体に録画し、録画したテレビジョン番組を再生する録画再生装置において、
前記内部記録媒体に録画されているテレビジョン番組を、装置本体に装着／取外しされる外部記録媒体である光ディスクにダビングする番組ダビング手段と、
ユーザによりダビングしようとするテレビジョン番組が選択されたときに、ユーザにより選択されたテレビジョン番組のダビングに必要な光ディスクの枚数を示した必要枚数画面を表示する必要枚数画面表示手段とを備え、
前記必要枚数画面表示手段は、前記必要枚数画面として、ダビングに必要な光ディスクの枚数を、光ディスクの種類毎に示した画面を表示し、
前記番組ダビング手段は、前記必要枚数画面表示手段による前記必要枚数画面の表示後、ユーザによりダビングを実行するための操作がされると、前記ユーザにより選択されたテレビジョン番組のダビングを実行する、
ことを特徴とする録画再生装置。
【請求項２】
前記必要枚数画面表示手段は、前記必要枚数画面として、ダビングに必要な光ディスクの枚数を、ダビングする際の画質毎に示した画面を表示する、
ことを特徴とする請求項１に記載の録画再生装置。
【請求項３】
前記必要枚数画面表示手段は、前記必要枚数画面として、ダビングに必要な光ディスクの枚数を、光ディスクを示唆する円形状の画像の個数によって示した画面を表示する、
ことを特徴とする請求項１に記載の録画再生装置。
【請求項４】
前記番組ダビング手段は、ダビングに必要な光ディスクが複数枚に亘る場合、１枚目の光ディスクへのダビングが終了すると、自動的にファイナライズ処理を行って、２枚目の光ディスクの挿入を促し、２枚目以降の光ディスクに対して、ダビングが全て完了するまで、同様の処理を繰り返す、
ことを特徴とする請求項１乃至請求項３に記載の録画再生装置。
【発明の詳細な説明】
【技術分野】
【０００１】
本発明は、テレビジョン放送局から放送されるテレビジョン番組を録画し、録画したテレビジョン番組を再生する録画再生装置に関するものである。
【背景技術】
【０００２】
従来から、テレビジョン番組を録画し、録画したテレビジョン番組を再生する録画再生装置がある。このような録画再生装置は、テレビジョン番組を、録画再生装置に内蔵されている例えばハードディスクなどの内部記録媒体に録画するようになっている。また、このような録画再生装置において、内部記録媒体に録画したテレビジョン番組を、録画再生装置に装着／取外しされる外部記録媒体である光ディスクにダビングすることができるものがある（例えば特許文献１乃至特許文献５参照）。
【先行技術文献】
【特許文献】
【０００３】
【特許文献１】特開２００９−１４０６０３号公報
【特許文献２】特開２００９−５４２０３号公報
【特許文献３】特開２００８−７７６９５号公報
【特許文献４】特開２００８−１００７４号公報
【特許文献５】特開２００６−１７２６５６号公報
【発明の概要】
【発明が解決しようとする課題】
【０００４】
ところで、ダビングしようとするテレビジョン番組の容量が、１枚の光ディスクの記憶容量を超える場合がある。このような場合には、（１）ダビングしようとするテレビジョン番組を編集により分割して、分割したテレビジョン番組を複数の光ディスクにダビングする、（２）１枚の光ディスクにダビングできるように、ダビングする際の画質を落とす、の２つの対処方法が考えられる。
【０００５】
上記（１）の対処方法をとる場合、ダビングに必要な光ディスクの枚数を前もって知ることができないと、テレビジョン番組をどの程度に分割すれば、分割した各テレビジョン番組を各光ディスクにダビングできるのか判断できない。従って、テレビジョン番組をどの程度に分割すればよいのか、手探り（試行錯誤）の状態となり、手際良くダビング作業を行うことができず、使い勝手が悪い。また、ダビングに必要な光ディスクの枚数を前もって知ることができないと、何枚の光ディスクを用意しておけばよいのか判断できず、ダビングの途中で光ディスクが足りなくなった場合には、手際良くダビング作業を行うことができず、使い勝手が悪い。
【０００６】
上記（２）の対処方法をとる場合にも、ダビングに必要な光ディスクの枚数を前もって知ることができないと、どの程度まで画質を落とせば、テレビジョン番組を１枚の光ディスクにダビングできるのか判断できない。従って、どの程度まで画質を落とせばよいのか、手探り（試行錯誤）の状態となり、手際良くダビング作業を行うことができず、使い勝手が悪い。
【０００７】
このように、テレビジョン番組をダビングするときに、ダビングに必要な光ディスクの枚数を前もって知ることができないと、手際良くダビング作業を行うことができず、使い勝手が悪い。そこで、ダビングに必要な光ディスクの枚数を表示する機能を持たせることが考えられる。ダビングに必要な光ディスクの枚数を前もって知ることができれば、ダビング作業を手際良く行うことが可能となり、使い勝手が良くなる。
【０００８】
一方、光ディスクには、例えばＢＤ−ＲやＤＶＤ−Ｒなど、様々な種類のものがあり、光ディスクの種類によって、記憶容量が異なっている。従って、ダビングに必要な光ディスクの枚数を表示する機能を持たせる場合、光ディスクの種類を考慮したうえで、ダビングに必要な光ディスクの枚数を表示することが望まれる。
【０００９】
本発明は、上記課題を解決するためになされたものであり、ダビングに必要な光ディスクの枚数を光ディスクの種類毎に把握することができる録画再生装置を提供することを目的とする。
【課題を解決するための手段】
【００１０】
上記目的を達成するために請求項１の発明は、テレビジョン放送局から放送されるテレビジョン番組を装置本体に内蔵の内部記録媒体に録画し、録画したテレビジョン番組を再生する録画再生装置において、内部記録媒体に録画されているテレビジョン番組を、装置本体に装着／取外しされる外部記録媒体である光ディスクにダビングする番組ダビング手段と、ユーザによりダビングしようとするテレビジョン番組が選択されたときに、ユーザにより選択されたテレビジョン番組のダビングに必要な光ディスクの枚数を示した必要枚数画面を表示する必要枚数画面表示手段とを備え、必要枚数画面表示手段は、必要枚数画面として、ダビングに必要な光ディスクの枚数を、光ディスクの種類毎に示した画面を表示し、番組ダビング手段は、必要枚数画面表示手段による必要枚数画面の表示後、ユーザによりダビングを実行するための操作がされると、ユーザにより選択されたテレビジョン番組のダビングを実行するものである。
【００１１】
請求項２の発明は、請求項１に記載の録画再生装置において、必要枚数画面表示手段は、必要枚数画面として、ダビングに必要な光ディスクの枚数を、ダビングする際の画質毎に示した画面を表示するものである。
【００１２】
請求項３の発明は、請求項１に記載の録画再生装置において、必要枚数画面表示手段は、必要枚数画面として、ダビングに必要な光ディスクの枚数を、光ディスクを示唆する円形状の画像の個数によって示した画面を表示するものである。
【００１３】
請求項４の発明は、請求項１乃至請求項３に記載の録画再生装置において、番組ダビング手段は、ダビングに必要な光ディスクが複数枚に亘る場合、１枚目の光ディスクへのダビングが終了すると、自動的にファイナライズ処理を行って、２枚目の光ディスクの挿入を促し、２枚目以降の光ディスクに対して、ダビングが全て完了するまで、同様の処理を繰り返すものである。
【発明の効果】
【００１４】
請求項１の発明によれば、ユーザがテレビジョン番組をダビングしようとするとき、テレビジョン番組のダビングに必要な光ディスクの枚数を光ディスクの種類毎に示した必要枚数画面が表示される。従って、ユーザは、この必要枚数画面を見ることによって、ダビングに必要な光ディスクの枚数を光ディスクの種類毎に前もって把握することができ、ダビング作業を手際良く行うことが可能となり、使い勝手が良い。
【００１５】
請求項２の発明によれば、ユーザがテレビジョン番組をダビングしようとするとき、テレビジョン番組のダビングに必要な光ディスクの枚数を光ディスクの種類毎及びダビングする際の画質毎に示した必要枚数画面が表示される。従って、ユーザは、この必要枚数画面を見ることによって、ダビングに必要な光ディスクの枚数を光ディスクの種類毎及びダビングする際の画質毎に前もって把握することができ、ダビング作業を手際良く行うことが可能となり、使い勝手が良い。
【００１６】
請求項３の発明によれば、ダビングに必要な光ディスクの枚数が、光ディスクを示唆する円形状の画像の個数によって示される。従って、ユーザは、光ディスクを示唆する円形状の画像の個数によって、ダビングに必要な光ディスクの枚数を視覚的に把握することができる。
【００１７】
請求項４の発明によれば、ダビングに必要な光ディスクが複数枚に亘る場合には、各光ディスクへのダビングが終了すると、自動的にファイナライズ処理が行われる。従って、ユーザは、ダビング作業の負担が少なくて済み、使い勝手が良い。
【図面の簡単な説明】
【００１８】
【図１】本発明の一実施形態に係るＨＤＤ付きＢＤレコーダの概略構成を示す電気的ブロック構成図。
【図２】同ＨＤＤ付きＢＤレコーダの必要枚数画面の表示例を示す図。
【図３】同ＨＤＤ付きＢＤレコーダのテレビジョン番組をダビングするときの動作を示すフローチャート。
【発明を実施するための形態】
【００１９】
以下、本発明を具体化した実施形態による録画再生装置について図面を参照して説明する。図１は、本実施形態による録画再生装置であるＨＤＤ付きＢＤレコーダの構成を示す。ＨＤＤ付きＢＤレコーダ１は、テレビジョン放送局から放送されるテレビジョン番組を録画、録音し、録画、録音したテレビジョン番組を再生する装置である。ＨＤＤ付きＢＤレコーダ１は、外部装置９０を接続して使用するようになっており、再生したテレビジョン番組の映像、音声を外部装置９０によって出力するようになっている。このＨＤＤ付きＢＤレコーダ１は、録画、録音したテレビジョン番組を外部記録媒体である光ディスク３０にダビング（コピー）するときに、ダビングに必要な光ディスク３０の枚数を表示する機能を備えている。
【００２０】
ＨＤＤ付きＢＤレコーダ１は、チューナ１１と、ＨＤＤ１２と、光ディスクドライブ１３と、出力切換部１４と、ＯＳＤ処理部１５と、リモコン１６と、リモコン受信部１７と、ＨＤＤ付きＢＤレコーダの動作を制御する制御部（番組ダビング手段、必要枚数画面表示手段）１８等を備える。
【００２１】
チューナ１１は、制御部１８による制御のもと、受信周波数がテレビジョン信号の放送チャンネルに対応する周波数に設定されることにより、その放送チャンネル（その周波数）のテレビジョン信号をアンテナ１ａを介して受信する。
【００２２】
テレビジョン信号には、映像信号（テレビジョン番組の映像を表わす信号）、音声信号（テレビジョン番組の音声を表わす信号）、番組情報信号（テレビジョン番組に関する番組情報を表わす信号）等が含まれている。テレビジョン番組に関する番組情報には、番組のタイトル（題名）、番組のジャンル、及び番組の放送日時等の各種情報が含まれている。
【００２３】
チューナ１１は、制御部１８による制御のもと、受信したテレビジョン信号を復調、復号処理して、受信したテレビジョン信号から、映像信号、音声信号、及び番組情報信号を生成する。
【００２４】
ＨＤＤ１２は、内部記録媒体であるハードディスク２０を内蔵しており、制御部１８による制御のもと、チューナ１１により生成された映像信号、音声信号、番組情報信号等を含む各種信号をハードディスク２０に記録する。また、ＨＤＤ１２は、制御部１８による制御のもと、ハードディスク２０に記録されている映像信号、音声信号、番組情報信号等を含む各種信号を読出す。
【００２５】
光ディスクドライブ１３は、外部記録媒体であるＤＶＤ、ＢＤ（ブルーレイディスク）等の光ディスク３０が装着／取外しされるようになっており、制御部１８による制御のもと、ＨＤＤ１２によりハードディスク２０から読出された映像信号、音声信号、番組情報信号等を含む各種信号を光ディスク３０に記録する。また、光ディスクドライブ１３は、制御部１８による制御のもと、光ディスク３０に記録されている映像信号、音声信号、番組情報信号等を含む各種信号を読出す。
【００２６】
出力切換部１４は、制御部１８による制御のもと、映像信号及び音声信号の供給経路を切換える。すなわち、出力切換部１４は、制御部１８による制御のもと、チューナ１１により生成された映像信号及び音声信号、ＨＤＤ１２によりハードディスク２０から読出された映像信号及び音声信号、光ディスクドライブ１３により光ディスク３０から読出された映像信号及び音声信号、のうちのいずれかを選択的に出力する。
【００２７】
ＯＳＤ処理部１５は、制御部１８による制御のもと、メニュー画面等の各種映像をＯＳＤ表示するために、出力切換部１４から出力された映像信号を加工処理し、その加工処理後の映像信号を出力する。また、ＯＳＤ処理部１５は、制御部１８による制御のもと、出力切換部１４から出力された映像信号を加工処理しないときには、出力切換部１４から出力された映像信号をそのまま出力する。出力切換部１４から出力された音声信号、及びＯＳＤ処理部１５から出力された映像信号は、外部装置９０に供給される。
【００２８】
外部装置９０に映像信号及び音声信号が供給されることにより、その映像信号及び音声信号による映像及び音声が外部装置９０によって出力（その映像信号による映像が外部装置９０のディスプレイ９１に表示されると共に、その音声信号による音声が外部装置９０のスピーカ９２から出力）される。
【００２９】
リモコン１６は、ＨＤＤ付きＢＤレコーダ１の電源のオン／オフ、テレビジョン番組の放送チャンネルの選択、テレビジョン番組の録画、録画した番組の再生、録画した番組のダビング等、ＨＤＤ付きＢＤレコーダ１の各種動作を指示するためにユーザにより操作され、その操作内容を示す操作信号を送信する。リモコン受信部１７は、リモコン１６から送信された操作信号を受信して、リモコン１６の操作内容を示すリモコン受信信号を出力する。
【００３０】
制御部１８は、リモコン受信部１７から出力されるリモコン受信信号に基いて、ユーザによるリモコン１６の操作内容を判断し、ユーザによるリモコン１６の操作を受けて、ＨＤＤ付きＢＤレコーダ１の各種動作を制御する。制御部１８は、ＨＤＤ付きＢＤレコーダ１の動作を制御するためのプログラムや各種データを記憶しており、それらプログラムや各種データに基いて、ＨＤＤ付きＢＤレコーダ１の各種動作を制御する。
【００３１】
制御部１８は、ＨＤＤ付きＢＤレコーダ１の各種動作として、番組録画動作、番組再生動作、番組ダビング動作、ＯＳＤ表示動作を制御する。
【００３２】
番組録画動作とは、テレビジョン放送局から放送されているテレビジョン番組をハードディスク２０に録画、録音する動作である。番組録画動作では、制御部１８は、テレビジョン放送局から放送されているテレビジョン番組のテレビジョン信号をチューナ１１により受信させ、そして、チューナ１１により生成された映像信号及び音声信号をＨＤＤ１２によりハードディスク２０に記録させることにより、テレビジョン放送局から放送されているテレビジョン番組をハードディスク２０に録画、録音する。このとき、制御部１８は、ハードディスク２０に録画、録音した番組を管理するために、チューナ１１により生成された番組情報信号、及び録画、録音した番組の容量を示す番組容量信号を、録画、録音した番組と対応付けて、ＨＤＤ１２によりハードディスク２０に記録させる。
【００３３】
番組ダビング動作とは、ハードディスク２０に録画、録音されているテレビジョン番組を光ディスク３０にダビング（コピーにより録画、録音）する動作である。番組ダビング動作では、制御部１８は、ハードディスク２０に録画、録音されているテレビジョン番組の映像信号及び音声信号をＨＤＤ１２により読出させ、そして、読出された映像信号及び音声信号を光ディスクドライブ１３により光ディスク３０に記録させることにより、ハードディスク２０に録画、録音されているテレビジョン番組を光ディスク３０にダビングする。このとき、制御部１８は、光ディスク３０にダビングした番組を管理するために、ダビングした番組の番組情報信号を、ダビングした番組と対応付けて、光ディスクドライブ１３により光ディスク３０に記録させる。
【００３４】
番組再生動作とは、ハードディスク２０に録画、録音されているテレビジョン番組を再生する動作である。番組再生動作では、制御部１８は、ハードディスク２０に録画、録音されているテレビジョン番組の映像信号及び音声信号をＨＤＤ１２により読出させ、そして、読出された映像信号及び音声信号を外部装置９０に供給するように、出力切換部１４における映像信号及び音声信号の供給経路を切換えることにより、ハードディスク２０に録画、録音されているテレビジョン番組を再生する。再生されたテレビジョン番組の映像は、外部装置９０のディスプレイ９１に表示され、再生されたテレビジョン番組の音声は、外部装置９０のスピーカ９２から出力される。
【００３５】
ＯＳＤ表示動作とは、ユーザに対するメッセージや操作案内等の各種映像を外部装置９０にＯＳＤ表示する動作である。ＯＳＤ表示動作では、制御部１８は、各種映像をＯＳＤ表示するように、ＯＳＤ処理部１５において映像信号を加工処理させることにより、各種映像を外部装置９０にＯＳＤ表示する。
【００３６】
また、制御部１８は、ＨＤＤ付きＢＤレコーダ１の各種動作として、番組リスト表示動作、必要枚数画面表示動作を制御する。
【００３７】
番組リスト表示動作とは、再生するテレビジョン番組、又はダビングするテレビジョン番組をユーザに選択させるために、ハードディスク２０に録画、録音されているテレビジョン番組の番組リストを表示する動作である。番組リスト表示動作では、制御部１８は、番組リストをＯＳＤ表示動作によって外部装置９０に表示する。このとき、制御部１８は、番組リストとして、例えば、ハードディスク２０に録画、録音されているテレビジョン番組のタイトル（題名）、放送日時、ジャンルから成るリストを表示する。制御部１８は、ユーザにより再生指示又はダビング指示がなされると、番組リスト表示動作を行って、番組リストを表示する。また、制御部１８は、ユーザにより再生しようとするテレビジョン番組が選択（すなわち、ユーザによる再生指示を受けて番組リストを表示しているときに、ユーザによりテレビジョン番組が選択）されると、番組再生動作を行って、ユーザにより選択されたテレビジョン番組を再生する。また、制御部１８は、ユーザによりダビングしようとするテレビジョン番組が選択（すなわち、ユーザによるダビング指示を受けて番組リストを表示しているときに、ユーザによりテレビジョン番組が選択）された後、ユーザによりダビングを実行するための操作（ダビングする際の画質の選択及び光ディスク３０の挿入）がなされると、番組ダビング動作を行って、ユーザにより選択されたテレビジョン番組をダビングする。
【００３８】
必要枚数画面動作とは、ユーザによりダビングしようとするテレビジョン番組が選択されたときに、ユーザにより選択されたテレビジョン番組のダビングに必要な光ディスク３０の枚数を示した必要枚数画面を表示する動作である。必要枚数画面動作では、制御部１８は、必要枚数画面をＯＳＤ表示動作によって外部装置９０に表示する。このとき、制御部１８は、必要枚数画面として、ダビングに必要な光ディスク３０の枚数を、光ディスク３０の種類毎に示した画面を表示する。制御部１８は、各種の光ディスク３０（例えば、ＢＤ−Ｒ、ＤＶＤ−Ｒ）の記憶容量を記憶しており、ユーザにより選択されたテレビジョン番組の容量（ハードディスク２０に記憶されている）と各種の光ディスク３０の記憶容量とに基いて、光ディスク３０の種類毎に、ユーザにより選択されたテレビジョン番組のダビングに必要な光ディスク３０の枚数を算出して、必要枚数画面を表示する。制御部１８は、ユーザによりダビングしようとするテレビジョン番組が選択（すなわち、ユーザによるダビング指示を受けて番組リストを表示しているときに、ユーザによりテレビジョン番組が選択）されたときに、必要枚数画面動作を行って、必要枚数画面を表示する。
【００３９】
図２は、必要枚数画面の表示例を示す。必要枚数画面５０は、テレビジョン番組のダビングに必要な光ディスク３０の枚数をユーザに伝えるための画面であり、必要枚数画面５０には、光ディスク３０の種類とダビングする際の画質を示すダビング種別画像５１ａ、５１ｂ、５１ｃ、５１ｄと、ダビングに必要な光ディスク３０の枚数を、文字（数値）によって示した枚数文字画像５２ａ、５２ｂ、５２ｃ、５２ｄと、ダビングに必要な光ディスク３０の枚数を、光ディスク３０を示唆する円（楕円）形状の画像の個数によって示した枚数絵画像５３ａ、５３ｂ、５３ｃ、５３ｄとが表示されている。
【００４０】
ダビング種別画像５１ａは、ダビングする光ディスク３０の種類がＢＤ−Ｒであり、ダビングする際の画質が通常画質であることを示している。枚数文字画像５２ａは、ダビング種別画像５１ａの下に表示されており、光ディスク３０としてＢＤ−Ｒに通常画質でダビングする際に必要な光ディスク３０の枚数を、文字（数値）によって示している。枚数絵画像５３ａは、ダビング種別画像５１ａの右横に表示されており、光ディスク３０としてＢＤ−Ｒに通常画質でダビングする際に必要な光ディスク３０の枚数を、光ディスク３０を示唆する円（楕円）形状の画像の個数によって示している。図示の例では、光ディスク３０としてＢＤ−Ｒに通常画質でダビングする際に必要な光ディスク３０の枚数が、２枚であることが表示されている。
【００４１】
ダビング種別画像５１ｂは、ダビングする光ディスク３０の種類がＢＤ−Ｒであり、ダビングする際の画質が低画質であることを示している。枚数文字画像５２ｂは、ダビング種別画像５１ｂの下に表示されており、光ディスク３０としてＢＤ−Ｒに低画質でダビングする際に必要な光ディスク３０の枚数を、文字（数値）によって示している。枚数絵画像５３ｂは、ダビング種別画像５１ｂの右横に表示されており、光ディスク３０としてＢＤ−Ｒに低画質でダビングする際に必要な光ディスク３０の枚数を、光ディスク３０を示唆する円（楕円）形状の画像の個数によって示している。図示の例では、光ディスク３０としてＢＤ−Ｒに低画質でダビングする際に必要な光ディスク３０の枚数が、１枚であることが表示されている。
【００４２】
ダビング種別画像５１ｃは、ダビングする光ディスク３０の種類がＤＶＤ−Ｒであり、ダビングする際の画質が通常画質であることを示している。枚数文字画像５２ｃは、ダビング種別画像５１ｃの下に表示されており、光ディスク３０としてＤＶＤ−Ｒに通常画質でダビングする際に必要な光ディスク３０の枚数を、文字（数値）によって示している。枚数絵画像５３ｃは、ダビング種別画像５１ｃの右横に表示されており、光ディスク３０としてＤＶＤ−Ｒに通常画質でダビングする際に必要な光ディスク３０の枚数を、光ディスク３０を示唆する円（楕円）形状の画像の個数によって示している。図示の例では、光ディスク３０としてＤＶＤ−Ｒに通常画質でダビングする際に必要な光ディスク３０の枚数が、７枚であることが表示されている。
【００４３】
ダビング種別画像５１ｄは、ダビングする光ディスク３０の種類がＤＶＤ−Ｒであり、ダビングする際の画質が低画質であることを示している。枚数文字画像５２ｄは、ダビング種別画像５１ｄの下に表示されており、光ディスク３０としてＤＶＤ−Ｒに低画質でダビングする際に必要な光ディスク３０の枚数を、文字（数値）によって示している。枚数絵画像５３ｄは、ダビング種別画像５１ｄの右横に表示されており、光ディスク３０としてＤＶＤ−Ｒに低画質でダビングする際に必要な光ディスク３０の枚数を、光ディスク３０を示唆する円（楕円）形状の画像の個数によって示している。図示の例では、光ディスク３０としてＤＶＤ−Ｒに低画質でダビングする際に必要な光ディスク３０の枚数が、３枚であることが表示されている。
【００４４】
このように、制御部１８は、必要枚数画面５０として、ダビングに必要な光ディスク３０の枚数を、光ディスク３０の種類毎及びダビングする際の画質毎に、枚数文字画像５２ａ〜５２ｄ（すなわち、文字（数値））によって示すと共に、枚数絵画像５３ａ〜５３ｄ（すなわち、光ディスク３０を示唆する円形状の画像の個数）によって示した画面を表示する。
【００４５】
また、必要枚数画面５０は、テレビジョン番組をダビングする際の画質をユーザに選択させるための画面にもなっており、必要枚数画面５０には、テレビジョン番組をダビングする際の画質の選択と光ディスク３０の挿入をユーザに促すためのメッセージ画像５４と、テレビジョン番組をダビングする際の画質を通常画質と低画質のいずれかに選択させるための選択項目画像５５ａ、５５ｂが表示されている。テレビジョン番組をダビングする際の画質の選択は、リモコン１６に設けられているカーソルキー、決定キー、実行キー、キャンセルキー等を操作することにより行われる。図示の例では、通常画質が選択されている。
【００４６】
制御部１８は、必要枚数画面５０を表示後（必要枚数画面５０を表示しているとき）、ユーザにより画質の選択及び光ディスク３０の挿入（すなわち、ダビングを実行するための操作）がなされると、番組ダビング動作を行って、ユーザにより選択されたテレビジョン番組のダビングを実行し、ユーザにより選択されたテレビジョン番組をユーザにより選択された画質でダビングする。このとき、制御部１８は、ダビングに必要な光ディスク３０が複数枚に亘る場合、１枚目の光ディスク３０へのダビングが終了すると、自動的にファイナライズ処理を行って、２枚目の光ディスク３０の挿入をユーザに促し（例えば「次の光ディスクを挿入してください」のメッセージをＯＳＤ表示動作によって表示し）、２枚目以降の光ディスク３０に対して、ダビングが全て完了するまで、同様の処理を繰り返す。
【００４７】
図３は、上記ＨＤＤ付きＢＤレコーダ１のテレビジョン番組をダビングするときの動作フローチャートを示す。ユーザによりダビング指示がなされると（＃１でＹＥＳ）、制御部１８は、番組リスト表示動作を行って、番組リストを表示する（＃２）。そして、ユーザにより番組が選択されると（＃３でＹＥＳ）、制御部１８は、必要枚数画面動作を行って、必要枚数画面５０（図２参照）を表示する（＃４）。その後、ユーザにより画質が選択され（＃５でＹＥＳ）、さらに、ユーザにより光ディスク３０が挿入されると（＃６でＹＥＳ）、制御部１８は、番組ダビング動作を行って、ユーザにより選択された番組（＃３で選択された番組）を、ユーザにより選択された画質（＃５で選択された番組）でダビングする（＃７）。
【００４８】
このような構成のＨＤＤ付きＢＤレコーダ１によれば、ユーザがテレビジョン番組をダビングしようとするとき、テレビジョン番組のダビングに必要な光ディスク３０の枚数を光ディスク３０の種類毎及びダビングする際の画質毎に示した必要枚数画面５０が表示される。従って、ユーザは、この必要枚数画面５０を見ることによって、ダビングに必要な光ディスク３０の枚数を光ディスク３０の種類毎及びダビングする際の画質毎に前もって把握することができ、ダビング作業を手際良く行うことが可能となり、使い勝手が良い。
【００４９】
しかも、必要枚数画面５０では、ダビングに必要な光ディスク３０の枚数が、枚数絵画像５３ａ〜５３ｄにより、光ディスク３０を示唆する円形状の画像の個数によって示される。従って、ユーザは、光ディスク３０を示唆する円形状の画像の個数によって、ダビングに必要な光ディスク３０の枚数を視覚的に把握することができる。
【００５０】
また、ダビングに必要な光ディスク３０が複数枚に亘る場合には、各光ディスク３０へのダビングが終了すると、自動的にファイナライズ処理が行われる。従って、ユーザは、ダビング作業の負担が少なくて済み、使い勝手が良い。
【００５１】
なお、本発明は、上記実施形態の構成に限られず、種々の変形が可能である。例えば、必要枚数画面には、ＢＤ−Ｒ、ＤＶＤ−Ｒ以外の光ディスクについて、ダビングに必要な光ディスクの枚数を表示するようにしてもよい。また、どの種類の光ディスクについて、ダビングに必要な光ディスクの枚数を表示するのかを、ユーザが設定できるようにしてもよい。また、必要枚数画面には、ＣＭを含む態様でテレビジョン番組をダビングする場合とＣＭを含まない態様でテレビジョン番組をダビングする場合の各々の場合について、ダビングに必要な光ディスクの枚数を光ディスクの種類毎に表示するようにしてもよい。また、テレビジョン番組をダビングしたときに、自動的に、光ディスクを識別するためのディスクタイトルを光ディスクに記録するようにしてもよい。
【符号の説明】
【００５２】
１    ＨＤＤ付きＢＤレコーダ（録画再生装置）
１ａ    アンテナ
１１    チューナ
１２    ＨＤＤ
１３    光ディスクドライブ
１４    出力切換部
１５    ＯＳＤ処理部
１６    リモコン
１７    リモコン受信部
１８    制御部（番組ダビング手段、必要枚数画面表示手段）
２０    ハードディスク（内部記録媒体）
３０    光ディスク（外部記録媒体）
５０    必要枚数画面
９０    外部装置
９１    ディスプレイ
９２    スピーカ
５１ａ、５１ｂ、５１ｃ、５１ｄ    ダビング種別画像
５２ａ、５２ｂ、５２ｃ、５２ｄ    枚数文字画像
５３ａ、５３ｂ、５３ｃ、５３ｄ    枚数絵画像
５４    メッセージ画像
５５ａ、５５ｂ    選択項目画像
【図１】
2012003821.tif 000003
【図２】
2012003821.tif 000004
【図３】
2012003821.tif 000005